(57)【要約】【課題】  間仕切りのため床面と天井との間で弾発的に立設したユニットを利用して化粧板や壁面を取り付け、取付け取外し自在な間仕切り壁を設ける。【解決手段】  表面に予め加熱溶融接着剤２を塗布した磁性体製の方形枠体１と、この方形枠体の上部で開口部を上下方向で対向して摺動可能に係合し、内部にスプリングその他の弾性体３を装填し互いに離反するよう付勢された２つのコ字形枠体４，５と、このコ字形枠体の上端で、天井板６のＶ溝７と係合するように設けた山形突起８とからなるユニットとし、天井板のＶ溝に山形突起を係合させて天井板と床面９との間にユニットを立設し、順次直線状にまたは直角状に連設し、このユニットの前面及び／又は背面に化粧板、パネルその他のボード１１を仮設的に密着させ、電磁誘導加熱手段１２を用いて接着剤２を溶融して接着固定し、この接着剤を再度溶融してボードを取外し可能とした間仕切り壁。【選択図】    図１
2005139640.tif 000002
【特許請求の範囲】
【請求項１】
表面に予め加熱溶融接着剤を塗布した鋼材その他の磁性体製の方形枠体と、この方形枠体の上部で開口部を上下方向で対向して摺動可能に係合し、内部にスプリング、板ばねその他の弾性体を装填し互いに離反するよう付勢された２つのコ字形枠体と、このコ字形枠体の上端で、天井板のＶ溝と係合するように設けた山形突起とからなるユニットとし、
このユニットを天井板のＶ溝に前記山形突起を係合させて天井板と床面との間に立設し、順次直線状にまたは直角状に連設し、各ユニットの前面及び／又は背面に化粧板、パネルその他のボードを仮設的に密着させ、電磁誘導加熱手段を用いて前記加熱溶融接着剤を溶融して接着固定し、この加熱溶融接着剤を再度溶融してボードを取外し可能とした間仕切り壁。
【請求項２】
磁性体のユニットの前面及び／又は背面に化粧板、パネルその他のボードを仮設的に密着させる手段として、磁性体のユニットに吸着するマグネットをボード外面からボードへ当接して吸着固定する請求項１記載の間仕切り壁。
【請求項３】
方形枠体の内周の一部に化粧板、パネルその他のボードの上端部を外方へ押し出すよう付勢された板ばね等の弾性体を設け、この弾性力は仮設的にボードをユニットに密着させるときに使用するマグネットの吸着力よりも弱く設定した請求項１記載の間仕切り壁。
【請求項４】
方形枠体が鉄製の２本の角柱間に架橋された上下のコ字形枠体による桟で形成された請求項１記載の間仕切り壁。
【請求項５】
天井板に予め３００ｍｍ角のＶ溝が連続するようにし、このＶ溝にコ字形枠体の上端に設けた山形突起を係合し、方形枠体下端をビス止め、その他の固定手段で床面に固定して成る請求項１記載の間仕切り壁。
【請求項６】
磁性体製の方形枠体と、この方形枠体の上部に取り付けられ、互いに対向して摺動可能な２つのコ字形枠体と、コ字形枠体の上端に設けた山形突起とから成る請求項１記載の１ユニットを用いて、天井のＶ溝に山形突起を係合させてユニットを立設して順次直線状にまたは直角状に連設し、
前記方形枠体の内周の一部に設けた板ばね等の弾性体を押し込めた状態で、ユニットに吸着するマグネットの吸着力により前記ユニットにボードを仮設的に固定させる第１工程と、
前記ユニットの表面に設けた加熱溶融接着剤がボードを介して電磁誘導加熱手段により溶融されてボードをユニットに接着固定する第２工程と、
前記加熱溶融接着剤がボードを介して電磁誘導加熱手段により再度溶融されて接着力を弛めるとともに前記板ばね等の弾性体によりボードの上部をユニットから剥離する第３工程と、
ボードの上部をもってボード全体をユニットから剥離する第４工程とから成る間仕切り壁の取付け取外し方法。
【発明の詳細な説明】
【技術分野】
【０００１】
本発明は、住宅内部や自由設計の賃貸住宅、賃貸マンションなど居住者が占有する室内において、間仕切りのため床面と天井との間で弾発的に立設したユニットを利用し、このユニットの表面及び／又は背面に化粧板や壁面を取り付け、借り手の要望に応じて自由設計とした間取りを実現させ、必要に応じてリフォームのため又は別の居住者のために簡潔に化粧版や壁面を取り外せるようにした間仕切り壁を提供するものである。
【背景技術】
【０００２】
従来から室内を間仕切りするため、間仕切り壁を立設するため居住者の要望に応えて各種の提案がなされてきた。特に賃貸住宅、賃貸マンションなどでは、入居前の居住者による自由設計を実現させ、居住者が変わる場合における設計変更やリフォームに対処できるよう基本的な柱と柱間を連接する横桟や梁による枠体を構成し、表面又は背面に化粧板やボードを接着する構成をとっている。
【特許文献１】特開平０５−１９５５９３公報  室内間仕切り構造
【特許文献２】特開２００３−１３５２１号公報    壁の構造、壁の構築方法、弾性支持機構
【発明の開示】
【発明が解決しようとする課題】
【０００３】
本発明では最近自由設計の賃貸住宅、賃貸マンションなど居住者が占有する室内を、居住者の自由設計により構成可能とする仕様が用いられるようになっている。特に、天井板が一定の大きさ（３００ｍｍ角、３００ｍｍと６００ｍｍの長方形、或いは９００ｍｍ角で３００ｍｍ毎の溝）であり、各板の合わせ目が５ｍｍ程度のＶ溝となり、直線状又は直角状に連接しており、このＶ溝を利用しようとする。
【０００４】
また床面では、コンクリートの打設面から各種のパネルを敷設しており、ビスその他の固定手段による固定を可能としている。
上記天井板のＶ溝を利用して間仕切りの単位を３００ｍｍ間隔で自由に設計できるようにするものである。
【課題を解決するための手段】
【０００５】
第１発明では、表面に予め加熱溶融接着剤を塗布した鋼材その他の磁性体製の方形枠体と、この方形枠体の上部で開口部を上下方向で対向して摺動可能に係合し、内部にスプリング、板ばねその他の弾性体を装填し互いに離反するよう付勢された２つのコ字形枠体と、このコ字形枠体の上端で、天井板のＶ溝と係合するように設けた山形突起とからなるユニットとし、このユニットを天井板のＶ溝に前記山形突起を係合させて天井板と床面との間に立設し、順次直線状にまたは直角状に連設し、各ユニットの前面及び／又は背面に化粧板、パネルその他のボードを仮設的に密着させ、電磁誘導加熱手段を用いて前記加熱溶融接着剤を溶融して接着固定し、この加熱溶融接着剤を再度溶融してボードを取外し可能とした間仕切り壁を提供した。
【０００６】
第２発明では、磁性体のユニットの前面及び／又は背面に化粧板、パネルその他のボードを仮設的に密着させる手段として、磁性体のユニットに吸着するマグネットをボード外面からボードへ当接して吸着固定する間仕切り壁とした。
【０００７】
第３発明では、方形枠体の内周の一部に化粧板、パネルその他のボードの上端部を外方へ押し出すよう付勢された板ばね等の弾性体を設け、この弾性力は仮設的にボードをユニットに密着させるときに使用するマグネットの吸着力よりも弱く設定した。
【０００８】
第４発明では、方形枠体が鉄製の２本の角柱間に架橋された上下のコ字形枠体による桟で形成された間仕切り壁とした。
【０００９】
第５発明では、天井板に予め３００ｍｍ角のＶ溝が連続するようにし、このＶ溝にコ字形枠体の上端に設けた山形突起を係合し、方形枠体下端をビス止め、その他の固定手段で床面に固定して成る間仕切り壁とした。
【００１０】
第６発明では、磁性体製の方形枠体と、この方形枠体の上部に取り付けられ、互いに対向して摺動可能な２つのコ字形枠体と、コ字形枠体の上端に設けた山形突起とから成る請求項１記載の１ユニットを用いて、天井のＶ溝に山形突起を係合させてユニットを立設して順次直線状にまたは直角状に連設し、前記方形枠体の内周の一部に設けた板ばね等の弾性体を押し込めた状態で、ユニットに吸着するマグネットの吸着力により前記ユニットにボードを仮設的に固定させる第１工程と、
前記ユニットの表面に設けた加熱溶融接着剤がボードを介して電磁誘導加熱手段により溶融されてボードをユニットに接着固定する第２工程と、前記加熱溶融接着剤がボードを介して電磁誘導加熱手段により再度溶融されて接着力を弛めるとともに前記板ばね等の弾性体によりボードの上部をユニットから剥離する第３工程と、ボードの上部をもってボード全体をユニットから剥離する第４工程とから成る間仕切り壁の取付け取外し方法を提供した。
【発明の効果】
【００１１】
本発明では、２つのコ字形枠体内に装填した弾性体によりユニットが弾発的に床面と天井板との間に固定される。天井板がおよそ３００ｍｍ角のＶ溝を有するので、これを利用して居住者が自由に間仕切りを設定することができる。複数のユニットを直線状又は直角状に連接し、このユニットの表面に取り外し可能に化粧板、パネルその他のボードを接着して間仕切り壁を完成できるようになった。
【００１２】
化粧板等を取り外し可能にするため、加熱溶融接着剤を用いているので、電磁誘導加熱手段により接着と剥離を自在にできるようにした。当初接着するには、マグネットを用いてユニットの上部に設けた弾性体の反発力に抗して仮設的にマグネットによってボードをユニットに密着させ、電磁誘導加熱手段により接着剤を一旦溶融し固化して接着させる。
【００１３】
再度接着剤を溶融したとき、前記弾性体が働いてボードの上端部を押し出し剥離し易くなっている。
【発明を実施するための最良の形態】
【００１４】
方形枠体の上端に設けた２つのコ字形枠体が弾性体の弾発力により上下方向に広がるよう付勢しているので、方形枠体は床面と天井板との間に容易に立設できる。コ字形枠体の山形突起を天井板のＶ溝に係合させることにより、間仕切りのスケールを簡単に把握して設計が極めてし易くなった。
【００１５】
コ字形枠体及び方形枠体によりユニットを構成し、これを直線的又は直角状に連接して部屋を区画することができ、磁性体であるユニットとこれに吸着するマグネットを利用して仮設的なボードの設定と、電磁誘導加熱手段による加熱溶融接着剤の溶融と固化を自在に行なうことができ、間仕切り壁が簡潔に形成されるようになった。
【００１６】
設計変更あるいはリフォームに対処するため、再度電磁誘導加熱手段による加熱溶融接着剤の溶融をしてボードを剥離できるようにしたので、居住者の思いのままに間仕切りを実現できる。
【実施例１】
【００１７】
図１はユニットの実施例を示すものであり、１は方形枠体で、鉄柱や鋼材等の磁性体からなる２本の角柱間に架橋された上下のコ字形枠体を桟として方形枠体に形成した。２は加熱溶融接着剤で、前記方形枠体１の表面に予め付着させてある。３は弾性体で、スプリングや板ばね等からなり、コ字形枠体４、５の内部に装填されている。コ字形枠体４、５は互いの開口部を上下方向で対向して摺動可能に係合し、前記弾性体により上下に広がるように付勢されている。これら方形枠体、２つのコ字形枠体及び弾性体によりユニット（Ｕ）を構成している。
【００１８】
図２は方形枠体１の柱を一部省略した断面図である。８は山形突起で、コ字形枠体４の上端に設けられ、天井板６の合わせ目に構成されるＶ溝７に係合できるようになっている。９は床面で、ビス１０等の固定手段により方形枠体１を床面に固定した。なお、山形突起８は天井板のＶ溝７に係合できるが、このＶ溝以外のところでも山形突起により天井面に固定することは自由である。
【００１９】
図３は方形枠体１の両面にボード１１を接着した状態を示す。図示していないが、ボード１１と天井板との間に緩衝材を入れることもある。図４はユニットの上部を拡大した断面図である。
【００２０】
図５、図６、図７、図８は、ユニットへボードを接着する状態を示す説明図である。
【００２１】
図５は、方形枠体１にボード１１を立てかけマグネット１３の吸着力により、弾性体１４を押し込めた状態で仮設的に方形枠体１にボードを密着させた工程を示す。
【００２２】
図６は、上記密接状態において、電磁誘導加熱手段１２により予め付けられていた加熱溶融接着剤２を瞬時に約２００℃に加熱溶融し、固化させて接着する工程を示す。
図７は、再度電磁誘導加熱手段１２を用いて加熱溶融接着剤２を溶融する工程を示す。
【００２３】
図８は加熱溶融接着剤が溶融すると、弾性体１４の弾性力によりボード１１の上端を押し出し、方形枠体１から剥離された状態を示す。
【００２４】
図９は、方形枠体１とコ字形枠体４、５からなるユニットを直線状に連接した状態を示す参考図である。コ字形枠体４の上端にある山形突起８が直線状に連続し、天井板のＶ溝に係合されるようにセットされる。なお、山形突起８は、直線状に連続した例を図示しているが、これに限らず、断続的に形成した場合も含まれる。
【００２５】
図１０は間仕切り壁を設けた一例を示す斜視図で、天井板６のＶ溝７に沿った山形突起８が設定を容易にし、且つ天井板６には配線のための分岐線１７が設けられている。１８は水周りの配管を例示したものである。
【実施例２】
【００２６】
方形枠体１を構成する２つの柱とこれらを連結する桟とは、実施例１では桟１５、１６が外部に出た状態を示しているが、ボードを密接して接着するため平面状態が得られればよいので、桟を２つの柱の内部に接合したものを用いる場合もある。
【実施例３】
【００２７】
図１１に示したのは、ボード１１の上端に設けた調節板１９とコ字形枠体２０及びばね２１により、ボード自体も弾発的に天井板と床面間に立設した例を示す。ボードの上端に緩衝材を嵌める場合に代えてより密接にボードをセットできる。
【産業上の利用可能性】
【００２８】
３００ｍｍ角程度のピッチで天井板にＶ溝を有する賃貸アパートやマンションで居住者の要望する間仕切りが自由設計の状態で可能であり、アパートやマンションのリフォーム又は設計変更などの産業に活用される。
【図面の簡単な説明】
【００２９】
【図１】方形枠体とコ字形枠体とからなるユニットの斜視図。
【図２】ユニットの一部省略断面図。
【図３】同断面図で、ボードを接着した状態を示す。
【図４】同要部拡大断面図。
【図５】ボードをユニットへ仮説的に密接した状態を示す説明図。
【図６】加熱溶融接着剤を溶融して固化接着している状態を示す説明図。
【図７】再度加熱溶融接着剤を溶融している状態を示す説明図。
【図８】弾性体によりボードの上端を剥離した状態を示す説明図。
【図９】ユニットを横方向へ連接した斜視図。
【図１０】室内と天井との関連を示す説明図。
【図１１】ボード自体を天井板と床面との間に段発的にセットした例の拡大断面図。
【符号の説明】
【００３０】
１  ：  方形枠体
２  ：  加熱溶融接着剤
３  ：  弾性体
４  ：  コ字形枠体
５  ：  コ字形枠体
６  ：  天井板
７  ：  Ｖ溝
８  ：  山形突起
９  ：  床面
１０：  ビス等の固定手段
１１：  ボード
１２：  電磁誘導加熱手段
１３：  マグネット  
１４：  弾性体
１５：  桟
１６：  桟
Ｕ  ：  ユニット
【図１】
2005139640.tif 000003
【図２】
2005139640.tif 000004
【図３】
2005139640.tif 000005
【図４】
2005139640.tif 000006
【図５】
2005139640.tif 000007
【図６】
2005139640.tif 000008
【図７】
2005139640.tif 000009
【図８】
2005139640.tif 000010
【図９】
2005139640.tif 000011
【図１０】
2005139640.tif 000012
【図１１】
2005139640.tif 000013